(57)【要約】【課題】仕切板の貫通孔を貫通するホース又はハーネスを支持するべく貫通孔に嵌合されるグロメットが、貫通孔から外れてしまうことを防止する。【解決手段】グロメット４に、外径側に突出して仕切板１の板面１ｂに当接するフランジ部４ｂと、該フランジ部４ｂよりも貫通孔軸方向に突出するプレート係合部４ｄとを形成すると共に、該プレート係合部４ｄの外周側に係合する状態でフランジ部４ｂに当てがわれた固定用プレート５を仕切板１に止着することで、固定用プレート５と仕切板１の板面１ｂとの間にフランジ部５ｂを挟持固定する構成にした。【選択図】図４
2008232204.tif 000002
【特許請求の範囲】
【請求項１】
仕切板に開設された貫通孔を貫通するホース又はハーネスを、支持部材を介して仕切板に支持するにあたり、該支持部材を、貫通孔に嵌合されるグロメットと、該グロメットを仕切板に固定するための固定用プレートとを用いて構成すると共に、前記グロメットは、
貫通孔に内嵌されるグロメット本体部と、
グロメット本体部の貫通孔軸方向一端側の外周部に形成され、グロメット本体部よりも外径側に突出して、仕切板の一方の板面に当接するフランジ部と、
グロメット本体部の貫通孔軸方向一端側に形成され、フランジ部の反仕切板当接側面部よりも貫通孔軸方向に突出するプレート係合部と、
前記グロメット本体部およびプレート係合部を貫通孔軸方向に貫通し、ホース又はハーネスが挿通される挿通孔と、
該挿通孔からグロメット本体部、フランジ部およびプレート係合部の外周縁に至る切込みとを有する一方、
固定用プレートは、
前記グロメットのプレート係合部の外周側に係合する状態でフランジ部の反仕切板当接側面部に当てがわれると共に、
該フランジ部の反仕切板当接側面部に当てがった固定用プレートを仕切板に止着することで、固定用プレートと仕切板との間にフランジ部を挟持固定する構成であることを特徴とするホース又はケーブルの支持構造。
【請求項２】
固定用プレートは、該固定用プレートをプレート係合部の外周側に係合せしめた状態で、プレート係合部の切込みの両側に位置して切込みの拡開を阻止する両側辺を有することを特徴とする請求項１に記載のホース又はケーブルの支持構造。
【請求項３】
固定用プレートをプレート係合部の外周側に係合せしめた状態で、プレート係合部は固定用プレートと面一状となるように形成されていることを特徴とする請求項１または２に記載のホース又はケーブルの支持構造。
【発明の詳細な説明】
【技術分野】
【０００１】
本発明は、建設機械等に配設されるホース又はケーブルの支持構造の技術分野に属するものである。
【背景技術】
【０００２】
一般に、建設機械のように、各種油圧アクチュエータや電装品が搭載される機械においては、油の流路となる油圧ホースや電気ハーネス等のホース／ハーネスが多数配設されるが、この様なホース／ハーネスを、例えば建設機械の機体本体側からフロントアタッチメント側に引出すような場合、機体内外を仕切る仕切板に、ホース／ハーネスが貫通する貫通孔を開設すると共に、該貫通孔を貫通するホース／ハーネスを支持するべく、貫通孔にグロメットが装着される場合がある。
この様なグロメットとして、従来、グロメットに複数個の挿通孔を設け、各挿通孔にホース／ハーネスを一本づつ挿通するようにした技術が知られている（例えば、特許文献１参照。）。
【特許文献１】特開２００１−２８８７８１号公報
【発明の開示】
【発明が解決しようとする課題】
【０００３】
ところで、前記特許文献１のものは、複数のホース／ハーネスがそれぞれ挿通孔に一本づつ挿通される構成であるため、何れかのホース／ハーネスが動いても、ホース／ハーネス同士が擦れあって摩耗してしまうことを防止できると共に、各ホース／ハーネスの外径と挿通孔径とが略同等となるように寸法設定することによって、貫通孔から室内に埃等が侵入してしまうことを防止できるようになっている。
しかしながらこのものは、仕切板の貫通孔にグロメットを装着する場合に、グロメットの外周部に形成された溝部を貫通孔の孔縁に嵌めるだけであり、さらに、溝部の裏側にはぬすみ部が形成されていて、溝部を貫通孔の孔縁に嵌める際にグロメットの外周部が内周側に変形しやすいように構成されている。このため、例えばホース内の圧力変動等によりホースが跳ねたり、或いは機外に配設されるホース／ハーネスが何らかの障害物に当って動いたような場合に、グロメットが貫通孔から外れてしまう惧れがあり、ここに本発明が解決しようとする課題がある。
【課題を解決するための手段】
【０００４】
本発明は、上記の如き実情に鑑みこれらの課題を解決することを目的として創作されたものであって、請求項１の発明は、仕切板に開設された貫通孔を貫通するホース又はハーネスを、支持部材を介して仕切板に支持するにあたり、該支持部材を、貫通孔に嵌合されるグロメットと、該グロメットを仕切板に固定するための固定用プレートとを用いて構成すると共に、前記グロメットは、貫通孔に内嵌されるグロメット本体部と、グロメット本体部の貫通孔軸方向一端側の外周部に形成され、グロメット本体部よりも外径側に突出して、仕切板の一方の板面に当接するフランジ部と、グロメット本体部の貫通孔軸方向一端側に形成され、フランジ部の反仕切板当接側面部よりも貫通孔軸方向に突出するプレート係合部と、前記グロメット本体部およびプレート係合部を貫通孔軸方向に貫通し、ホース又はハーネスが挿通される挿通孔と、該挿通孔からグロメット本体部、フランジ部およびプレート係合部の外周縁に至る切込みとを有する一方、固定用プレートは、前記グロメットのプレート係合部の外周側に係合する状態でフランジ部の反仕切板当接側面部に当てがわれると共に、該フランジ部の反仕切板当接側面部に当てがった固定用プレートを仕切板に止着することで、固定用プレートと仕切板との間にフランジ部を挟持固定する構成であることを特徴とするホース又はケーブルの支持構造である。
請求項２の発明は、固定用プレートは、該固定用プレートをプレート係合部の外周側に係合せしめた状態で、プレート係合部の切込みの両側に位置して切込みの拡開を阻止する両側辺を有することを特徴とする請求項１に記載のホース又はケーブルの支持構造である。
請求項３の発明は、固定用プレートをプレート係合部の外周側に係合せしめた状態で、プレート係合部は固定用プレートと面一状となるように形成されていることを特徴とする請求項１または２に記載のホース又はケーブルの支持構造である。
【発明の効果】
【０００５】
請求項１の発明とすることにより、グロメットは、固定用プレートによって確実に支持板に固定されることになって、ホースまたはハーネスが、圧力変動により跳ねたり何らかの障害物に当って大きく動いたような場合であっても、グロメットが貫通孔から外れてしまうことを、確実に防止することができる。さらに、固定用プレートは、グロメットに形成されたプレート係合部によって位置決めされることになり、より確実にグロメットを固定できると共に、固定用プレートの仕切板への止着作業を容易に行える。
請求項２の発明とすることにより、固定用プレートによって、グロメットに形成される切込みの拡開を防止できることになって、油圧ホースを挿通孔に安定且つ確実に保持することができる。
請求項３の発明とすることにより、グロメットにプレート係合部が設けられていても、該プレート係合部が固定用プレートから突出することなく、支持部材のコンパクト化に貢献できる。
【発明を実施するための最良の形態】
【０００６】
次に、本発明の実施の形態について、図面に基づいて説明する。図面において、１は仕切板、２は油圧ホース（図１では、８本の油圧ホース２を図示しているが、これより少なくても多くても良い）であって、本実施の形態では、仕切板１は図示しない油圧ショベルの機器収納室を覆うカバーであり、そして油圧ホース２は、前記仕切板１に開設された貫通孔１ａを貫通して、機器収納室から機外に配設されるようになっている。
【０００７】
さらに、３は前記油圧ホース２を仕切板１に支持するための支持部材であって、該支持部材３は、ゴム材等の弾性材からなり、仕切板１の貫通孔１ａに嵌合されるグロメット４と、該グロメット４を仕切板１に固定するための固定用プレート５とを用いて構成されている。
【０００８】
前記グロメット４は、仕切板１の貫通孔１ａの内周側に嵌合されるグロメット本体部４ａと、該グロメット本体部４ａの貫通孔軸方向一端側の外周部に形成され、グロメット本体部４ａよりも外径側に突出して仕切板１の一方の板面１ｂに当接するフランジ部４ｂと、グロメット本体部４ａの貫通孔軸方向一端側に形成され、フランジ部４ｂの反仕切板当接側面部４ｃよりも貫通孔軸方向に突出して後述する固定プレート５に係合するプレート係合部４ｄとが一体形成されている。さらに、グロメット４には、前記グロメット本体部４ａおよびプレート係合部４ｄを貫通孔軸方向に貫通する状態で、各油圧ホース２がそれぞれ挿通される複数の挿通孔４ｅが穿設されていると共に、該挿通孔４ｅにグロメット４の外周側から油圧ホース２を挿入できるよう、各挿通孔４ｅからグロメット本体部４ａ、フランジ部４ｂおよびプレート係合部４ｄの外周縁に至る切込み４ｆが切開されているが、これらの切込み４ｆは、互いに略平行となるように形成されている。尚、前記挿通孔４ｅの孔径は、各油圧ホース２の外径と略同径となるように形成されていて、挿通孔４ｅに挿通せしめた油圧ホース２の外周側に隙間が生じないように構成されている。また、挿通孔４ｅには、油圧ホース２だけでなく、燃料ホースやハーネス（図示せず）等を挿通することもでき、本実施の形態では、挿通孔４ｅのうちの一つがハーネス用に設定されている。
【０００９】
一方、固定用プレート５は、対向する一対の側辺５ａ、５ｂとこれら両側辺５ａ、５ｂ同士を連結する連結辺５ｃとを有する略コ字形状のものであって、該固定用プレート５は、グロメット４のプレート係合部４ｄの外周側に係合する状態でフランジ部４ｂの反仕切板当接側面部４ｃに当てがわれると共に、この状態で、両側辺５ａ、５ｂは、プレート係合部４ｄの全ての切込み４ｆの両側に位置するように構成されている。これにより、固定用プレート５をプレート係合部４ｄの外周側に係合せしめることで、切込み４ｆの拡開を阻止できるようになっている。また、固定用プレート５の厚みは、プレート係合部４ｄのフランジ部反仕切板当接側面部４ｃからの突出量と略等しく設定されており、これにより、固定用プレート５をプレート係合部４ｄの外周側に係合せしめた状態で、固定用プレート５とプレート係合部４ｄとは面一状となるように形成されている。
【００１０】
さらに、前記固定用プレート５をフランジ部４ｂの反仕切板当接側面部４ｃに当てがった状態で、前記両側辺５ａ、５ｂの外方側縁部は、フランジ部４ｂの側縁よりも外方に突出するようになっており、そして該外方に突出する部位に、固定用プレート５を仕切板１に固定するための固定用ボルト６が挿通されるボルト挿通孔５ｄが穿設されている。
【００１１】
そして、油圧ホース２を、グロメット４の切込み４ｆを押し広げて挿通孔４ｅに挿通した後、仕切板１の一方の板面１ｂ側からグロメット本体部４ａを貫通孔１ａに嵌め込んで、フランジ部４ｂを仕切板１の一方の板面１ｂに当接せしめ、さらにフランジ部４ｂの反仕切板当接面部４ｃに固定用プレート５を当てがい、この状態で、固定用プレート５のボルト挿通孔５ｄから挿入した固定用ボルト６を、仕切板１に形成される螺子孔１ｃに螺入して固定用プレート５を仕切板１に止着することで、フランジ部４ｂが固定用プレート５と仕切板１との間に挟持固定された状態になり、而して、固定用プレート５によってグロメット４を仕切板１に固定できる構成となっている。尚、固定用プレート５は、前述したように略コ字形状をしていて一辺側が開口しているため、油圧ホース２が挿通された状態のグロメット４の側方から、固定用プレート５をフランジ部４ｂの反仕切板当接面部４ｃに当てがうことができるようになっている。
【００１２】
ここで、前記固定用プレート５の下面には、ボルト挿通孔５ｄより少し大径で、且つボルト挿通孔５ｄに対して略同芯となる筒孔７ａを有した円筒状のスペーサ７が固着されている。そしてこのスペーサ７は、固定用ボルト６を螺子孔１ｃに螺入する前の段階では仕切板１の一方の板面１ｂから少し浮いているが、固定用ボルト６の螺入に伴い固定用プレート５が仕切板１に近接することでスペーサ７の先端が仕切板１の板面１ｂに当接し、これにより、これ以上固定用プレート５が仕切板１に近接してフランジ部４ｂが過度に押圧されてしまうことを防止できるようになっている。
【００１３】
叙述の如く構成された本形態において、油圧ホース２は、支持部材３によって支持された状態で、仕切板１に開設された貫通孔１ａを貫通することになるが、上記支持部材３は、グロメット４と固定用プレート５とを用いて構成されており、そして該固定用プレート５は、グロメット４の外周部に形成されて仕切板１の板面１ｂに当接するフランジ部４ｂを、固定用プレート５と仕切板１との間に挟持固定することで、グロメット４を仕切板４に固定することになる。而して、油圧ホース２がホース内の圧力変動により跳ねたり、或いは機外に配設された油圧ホース２が何らかの障害物に当って大きく動いたような場合であっても、グロメット４が貫通孔１ａから外れてしまうことを確実に防止できる。
【００１４】
しかも、前記グロメット４は、フランジ部４ｂの反仕切板当接面部４ｃよりも貫通孔軸方向に突出するプレート係合部４ｄを有しており、そして固定用プレート５は、上記プレート係合部４ｄの外周側に係合する状態でフランジ部４ｂの反仕切板当接面部４ｃに当てがわれる構成になっているから、プレート係合部４ｄによって固定用プレート５の位置決めがなされることになり、而して、固定用プレート５によるグロメット４の固定をより確実に行うことができると共に、固定用ボルト６を用いた固定用プレート５の仕切板１への止着作業を、容易に行うことができる。
【００１５】
さらに、前記グロメット４には、挿通孔４ｅに油圧ホース２を容易に挿通できるよう挿通孔４ｅから外周縁に至る切込み４ｆが形成される一方、固定用プレート５の両側辺５ａ、５ｂは、固定用プレート５をプレート係合部４ｄの外周側に係合せしめた状態で、プレート係合部４ｄの全ての切込み４ｆの両側に位置して該切込み４ｆの拡開を防止する構成となっている。この結果、固定用プレート５によって、切込み４ｆの拡開を防止できることになって、油圧ホース２を挿通孔４ｅに安定且つ確実に保持することができる。尚、グロメット本体部４ａにおいては、該グロメット本体部４ａが貫通孔１ａに内嵌されているため切込み４ｆの拡開が防止されるが、仮にグロメット本体部４ａの外周部と貫通孔１ａの内周部との間に間隙があってグロメット本体部４ａにおいて切込み４ｆの拡開を確実に防止できないような場合であっても、前述したように固定用プレート５によって切込み４ｆの拡開を防止できることになる。
【００１６】
そのうえ、前記固定用プレート５をプレート係合部４ｄの外周側に係合せしめた状態で、プレート係合部４ｄは固定用プレート５と面一状になるように形成されているから、前述したように固定用プレート５の位置決めや切込み４ｆの拡開を防止するために必要なプレート係合部４ｄが設けられていても、該プレート係合部４ｄが固定用プレート５から突出することなく、支持部材３のコンパクト化に貢献できる。
【図面の簡単な説明】
【００１７】
【図１】（Ａ）は仕切板に装着された支持部材の平面図、（Ｂ）は（Ａ）のＸ−Ｘ断面図である。
【図２】（Ａ）はグロメットの平面図、（Ｂ）はグロメットの底面図、（Ｃ）はグロメットの正面図、（Ｄ）はグロメットの右側面図である。
【図３】（Ａ）は固定用プレートの平面図、（Ｂ）は固定用プレートの左側面図、（Ｃ）は（Ａ）のＸ−Ｘ断面図である。
【図４】支持部材の仕切板への装着を示す斜視図である。
【符号の説明】
【００１８】
１    仕切板
１ａ  貫通孔
２    油圧ホース
３    支持部材
４    グロメット
４ａ  グロメット本体部
４ｂ  フランジ部
４ｄ  プレート係合部
４ｅ  挿通孔
４ｆ  切込み
５    固定用プレート
５ａ  側辺
５ｂ  側辺
６    固定用ボルト
【図１】
2008232204.tif 000003
【図２】
2008232204.tif 000004
【図３】
2008232204.tif 000005
【図４】
2008232204.tif 000006